Podtech/llm-jp-corpus-v4-ja_patent huggingface dataset:
(57)【要約】【課題】従来の装置は、軽く接触しただけで作動する形態の装置のため、集団で行動する猪の子供などの複数捕獲率は低く、有害獣以外の小動物や飼い犬等でも作動することの問題点を解決するためになされたものであり、既存の檻にでも安全で容易に取付けることができ捕獲率をあげる装置を提供する。【解決手段】  コンパクトな装置に作り上げで、檻上部の鉄筋の桟の上に置き、フックボルトで鉄筋に引っ掛け、フックボルト蝶ナットを手で締め付けるだけで容易に取り付けができる装置であり、接触棒を垂直に使い強く押さえることで有害獣のみの捕獲だけに限定できる装置である。また、フックボルトの位置を変えるだけで大きな檻や小さな檻まで不特定な檻に取り付けができる。檻が有効に使え捕獲率をあげることができる。【選択図】図１
2012187088.tif 000002
【特許請求の範囲】
【請求項１】
垂直に置いた接触棒を簡単に強く押さえることができる装置。また、有害獣のみの捕獲に限定できることを特徴とする有害獣捕獲用罠接触装置
【請求項２】
フックボルト蝶ナットを手で締め付けるだけで容易に取り付可能な構造の装置である。また、取り付け用フックボルトのフックの部分が自由に方向を変えることが可能であるため、既存の不特定な檻に工具不要で容易に安全に取り付可能なことを特徴とする有害獣捕獲罠接触装置。
【発明の詳細な説明】
【技術分野】
【０００１】  この発明は、有害獣（以下獣という）を捕獲する装置に関する。
【背景技術】
【０００２】近年、高齢化に伴いハンターも激減し農林業の被害が増加の一途を辿っている。現在は山間地の田畑のみならず、住宅地まで出没し人にまで危害を加えているのが現状である。
その為、近年は各市町村も協力し安全面での問題が少ない捕獲檻が多用されるようになった。しかし、檻による捕獲の歴史は浅く捕獲獣の習性も熟知できていないのが実状である。
檻捕獲は檻に入れた餌につられて入り、仕掛けに触れると扉が閉まるよう製作されているが、野生で警戒心が強く動きの早い獣の捕獲は難しく、逃げられることも多く一度失敗すると二度と檻に入らないと言えるほどである。その為、猪などの多産系の獣は一網打尽に捕獲する必要があり、従来の装置は、図２や図３に示すように、横に張られたロープか回転棒に軽く接触するだけで作動してしまう構造である。
【発明の概要】
【発明が解決しようとする課題】
【０００３】  しかしながら、以上の技術によれば、従来の装置は複数捕獲が難しく、小動物（狸、鳩、カラス）でも作動するため、捕獲を目標とする獣が檻に入るまでに小動物で扉が閉鎖してしまうことが多く、捕獲の確率も低かった。また、住宅地近くの田畑被害に伴う有害獣駆除には獣猟は危険なため不可能で檻捕獲駆除しか方法は無かった。しかし、先に飼い犬などのペットが入ってしまうなど設置に問題が生じた。
そこで、この発明は、獣捕獲に限定できること、一度に複数の捕獲が可能になり捕獲率が向上する。また、簡易な構造で不特定な檻に容易に安全に取り付が可能であることを、提供する。
【課題を解決するための手段】
【０００４】  以上の課題を解決するために、
第一発明は、接触棒を縦に使い、金属の押さえ金具で棒を強く押さえることで接触棒を倒すには大きな力が必要とし、小動物などでは作動しないことを特徴とする装置である。第二発明は、檻の大きさを選ばず既存の檻にでも簡易に工具不要で容易に取りが可能であることを特徴とする装置である。
【発明の効果】
【０００５】  第一発明、によれば、有害獣以外の小動物（狸、犬、鳩、カラス）などでは作動しないうえに、一度に複数匹の捕獲が可能になる。また、雑木を接触棒に使うことで野生獣の警戒心を和らげ檻に進入しやすく捕獲率をあげることができる。
また、第二発明によれば、片手で持てる小さな装置であり、既存の檻にでも容易に取り付が可能である。また、檻の外に付けるので作業者も安全である。
【図面の簡単な説明】
【０００６】
【図１】この発明の一実施形態を示す斜視図である。
【図２】従来技術を示す斜視図である。
【図３】従来技術を示す斜視図である。
【発明を実施するための形態】
【０００７】  この発明の一実施形態を、図１に示す。
この実施形態によれば、装置本体１は金属製でコの字型で可動する押さえボルト２が取り付けられた装置で、図１に示すように檻上部の檻鉄筋の桟の天面に置き、取り付け用フックボルト６を桟に引っかけてフックボルト締め付け蝶ナット７を手で締め付ける。装置本体１の接触棒押さえプレート４の下に檻の内寸ほどの長さに切断した雑木などの棒５の一方を檻の底面の鉄筋か石や板などを置き堅固にした接触棒台１０に乗せる。押さえボルト２の押さえボルトハンドル３を獲物の種類に合った強さに締め込み固く固定し、接触棒５にロープ８を結びつけ、もう一方をそれぞれの檻本体に取り付けられた扉保持装置に接続する。
【０００８】「実施形態の効果」
この実施形態によれば、既存の檻にでも容易に取り付が可能であり、小動物などが檻に進入した場合でも、接触棒５が押さえボルト２で固く固定されているため、接触棒５に軽く接触しただけでは作動しない。結果、大物獣や複数匹が進入した場合に限り、獣の強い力で接触棒５をはね除けるため接触棒押さえプレート４から接触棒５が外れることにより、ロープ８が引っ張られリンクしている檻の扉保持装置が解除され扉が閉鎖される。
「他の実施形態」
図１の実施形態では、棒を垂直に使い、押さえボルトで強く押さえているため軽く接触しただけでは動かないが、他の形態では、図２−１、図３−１のとおり檻の内側にロープや回転装置を水平に組み込まれたもので、軽く接触しただけで作動してしまうものである。
【符号の説明】
【０００９】１．装置本体
２．押さえボルト
３．押さえボルトハンドル
４．接触棒押さえプレート
５．接触棒（木の棒や杭）
６．取り付用フックボルト
７．フックボルト蝶ナット
８．扉保持装置連結ロープ
９．檻鉄筋
１０．接触棒台（板や石等）
【図１】
2012187088.tif 000003
【図２】
2012187088.tif 000004
【図３】
2012187088.tif 000005
(57)【要約】【課題】本発明は、従来の装置の扉の高さを変えることができないという問題点を解決し、既存の檻にでも安全で容易に取付けることができ捕獲率をあげる装置を提供する。【解決手段】金属製の平板を加工し、本体の一方をコの字型に曲げ、もう一方をバンドや針金で固定するだけで既存の檻にでも安全で容易に取付けることができる。また、スライドする檻の扉に直接繋いだロープを捕獲する獣に合う高さまでつり上げ、ロープ末端を装置に引っかけ扉を静止保持させるだけの簡単な装置を提供するものであり、大きな檻や小さな檻まで不特定な檻に取り付けができ檻が有効に使え捕獲率をあげることができる。【選択図】図１
2012187087.tif 000002
【特許請求の範囲】
【請求項１】
ロープの結びを変えロープ長さを調整し金具に引っかけるだけで簡単に扉高さを自由に変えることができることを特徴とする装置。
【請求項２】
檻の種類や大きさを限定せず、シュリンクバンドや針金のみで容易に取り付が可能なことを特徴とする装置。
【請求項３】
扉の自重を応用した回転しようとする図１−２の回転板を、テコの応用を利用した図１−３の開放ピンで回転板を軽微な力で静止保持、作動させられることを特徴とする装置。
【発明の詳細な説明】
【技術分野】
【０００１】  この発明は、猪、鹿、熊、アライグマ等の有害獣を捕獲するために用いる捕獲檻に関する。
【背景技術】
【０００２】  近年、高齢化に伴いハンターも激減し農林業の被害が増加の一途を辿っている。現在は山間地の田畑のみならず、住宅地まで出没し人にまで危害を加えているのが現状である。その為、近年は各市町村も協力し安全面での問題が少ない捕獲檻が多用されるようになった。しかし、檻による捕獲の歴史は浅く捕獲獣の習性も熟知できていないのが実状である。檻捕獲は檻に入れた餌につられて入り、仕掛けに触れると扉が閉まるよう製作されているが、野生で警戒心が強く動きの早い獣の捕獲は難しく、逃げられることも多く一度失敗すると二度と檻に入らないと言えるほどである。
【発明の概要】
【発明が解決しようとする課題】
【０００３】  しかしながら、以上の技術は、図４−１と図５−１の示すとおり従来の檻では閉鎖する扉高さが檻の構造上、檻開口部以上の高さまで上げられ保持されており高さを調整することができない。その為、扉が閉鎖されるのに時間がかかり、警戒心の強い野生獣は扉の動き出す音で瞬時に逃げ出すため、扉が閉まる途中に獣の首や背中などに当たり、扉が閉鎖せずそのまますり抜けて逃げることが多く捕獲率が低かった。また扉を落とす装置が露出しているため、寒冷地では凍結時に凍り付き作動しないことがある。
そこで、この発明は、捕獲獣の種類により、扉高さが任意の高さで保持できる装置で、扉高さが低く設定することで作動した場合瞬時に扉が下がり、すり抜けて逃げることができない。また、微力な力でも作動できる装置で小動物でも使用可能である。そのうえ、発明した装置は檻の大きさを限定せず、既存の檻にでも使用が可能で、容易に取り付けできるため作業も安全で、防滴カバーが付いているため寒冷地での使用でも凍結しにくい。
【課題を解決するための手段】
【０００４】  以上の課題を解決するために、
第一発明は、ロープを使ったことで、図１−８に示す結び目の位置を変えロープ末端の輪の大きさを変えることで簡単にロープ長さが調整でき、落下させる扉を捕獲獣に合った高さに調整保持できる。また、ロープを掛けた図１−２が少し回転しだけで図１−９からロープが外れ瞬時に開放できることを特徴とする装置である。
第二発明は、図１に示すとおり装置の一方を檻の鉄筋１０に引っ掛けもう一方をシュリンクバンドか細い針金１３で落ちない程度に固定するだけの作業で取り付も容易である。また、小さな装置なので防滴カバー１４の取り付けが可能で、凍結にも強いことを特徴とする装置である。
また、第三発明は、ロープを引っかけた回転する図１−２の金属板を静止させている図１−３のピンを引き抜くだけの動作であるため、軽微な力で回転板を作動させることができることを特徴とする装置である。
【発明の効果】
【０００５】  第一発明、によれば、装置は檻の種類や大きさに関係なく、捕獲檻扉を捕獲獣に合った任意の高さに簡単に保持させることができるため、扉の閉鎖が瞬時に行われるため捕獲率が向上する。
また、第二発明、第三発明によれば、簡易な装置で、不特定な檻に工具不要で容易に取り付が可能で、檻の外に付けるので作業者も安全である。また、ピンを引き抜くだけの小さい力で作動させられる為、檻の種類や大きさを限定しないうえ、大型獣から小型獣の捕獲檻にも幅広く使用可能である。
【図面の簡単な説明】
【０００６】
【図１】この発明の一実施形態を示す斜視図である。
【図２】この発明の一実施形態を示す平面図である。
【図３】この発明の取り付けイメージ図である。
【図４】従来技術を示す斜視図である。
【図５】従来技術を示す斜視図である。
【発明を実施するための形態】
【０００７】  この発明の一実施形態を、図１、図２に示す。
装置の本体１は一方をコの字型に曲げもう一方をバンドや針金を通すよう穴を開けた金属製の平板がベースとなり、その上面に、図１のとおりＬ字に曲げ穴を開けた回転板２と、回転板を静止させるための１１の金具が溶接固定してあり、回転板２と静止板１１の穴１２に、静止保持開放ピン３を貫通させて回転板を静止させる構造である。また、寒冷地用の防滴カバー１４も付属している。尚、回転板が引っかけたロープで回転する理由は扉保持ロープ４にかかる扉の負荷をロープ引っ掛け溝９が受け止めており、溝９が回転盤軸７の軸より外側にあるため、テコの作用で矢印の方向に回転するものである。
【０００８】「実施形態の効果」
この実施形態によれば、不特定な檻に容易に取付け可能で、檻のスライド扉などに繋がれたロープ４で捕獲する獣に合う高さまでつり上げ、取り付けられた装置本体１の回転板２のロープ引っ掛け溝９にロープ末端を引っかけ安全ピン５を差し込む。回転板２と静止保持役の板１１の穴１２に開放ピン３を挿入する。開放ピン３にロープ６の一方を結び付け、もう一方の端を個々に取り付けられた檻の接触により作動する図４−２の接触回転装置や図５−２の牽引ワイヤに接続する。最後に、安全ピン５のを抜き取ればセットが完了する。
「他の実施形態」
図１の実施形態では、容易に脱着が可能で不特定な檻にも取り付が可能であるが、他の実施形態では、個々の檻に固定されたもので、扉の高さも変えることができない。
【符号の説明】
【０００９】１．扉保持装置本体（ベース）
２．回転板
３．回転板静止保持及び開放ピン
４．扉保持ロープ（持ち上げた扉へ連結する）
５．安全ピン（仕掛け途中でのロープ外れや開放ピン外れなどの誤動作を防ぐため）
６．檻接触装置と連結するロープ
７．回転盤軸
８．ロープ結び目（長さ調整を兼ねる）
９．ロープ引っ掛け溝
１０．檻上部鉄筋
１１．回転盤静止保持板
１２．静止保持・開放ピン挿入穴
１３．シュリンクバンドまたは針金
１４．防滴カバー（プラスチック製）
【図１】
2012187087.tif 000003
【図２】
2012187087.tif 000004
【図３】
2012187087.tif 000005
【図４】
2012187087.tif 000006
【図５】
2012187087.tif 000007
(57)【要約】【課題】従来の篩枠において製品側への粗粉や異物などの混入を確実に防ぐ事が出来る篩機用篩枠を提供する。【解決手段】篩網枠と外枠の内嵌合する接合面を互いに傾斜面に加工する事で双方の間には隙間が発生せず密着性が確保され、篩網面上からの粗粉の混入や粉の滞留を確実に防ぐ事が出来る。【選択図】図３
2012187564.tif 000002
【特許請求の範囲】
【請求項１】
矩形四辺の枠体に篩網を張った篩網枠と内嵌合し合う矩形四辺状の枠で粉粒体通路開口を有し篩網を通過した微粉を受ける受板を設置した外枠を対として構成されている多段式篩機用篩において、篩網枠が内嵌合する外枠との嵌合面を篩網枠と受け枠共に傾斜面に形成する。双方の接合面を傾斜型にすることでより密着性が増し、篩網枠上の粗粉と網目を通過した微粉とが混合しにくくなる特徴を有する篩枠。
【請求項２】
篩網枠を内嵌合する外枠の受け入れ部を木製もしくは、食品に相応しいプラスチック材料の一体化成形品及び金属材料の一体化成形品で作られる請求項１による篩枠。
【発明の詳細な説明】
【技術の分野】
【０００１】本発明は多段積層型篩機の内嵌合式による篩い分け作用の篩枠に関し、製品に原料の粗粉混入に対する防止策として、篩網枠と外枠との内嵌合部の密着性構造に関するものである。
【背景技術】
【０００２】従来粉の粒度選別の為の多段積層型篩機の篩枠は矩形の木製枠である。【０００３】木製篩枠は篩網枠とそれを内嵌合する外枠とで構成され一対として、篩機内に整合積み重ねられ、駆動装置で水平運動を行い粉流体の選別をしている。【０００４】従来一般的に使用されている篩網枠は、ほぼ垂直に内嵌合する形態に有り嵌合面に微小の隙間が発生する。篩い分け工程中に篩網上の粗粉と篩網を通過した微粉が混合するのを防止するためシールが取り付けられているが、磨耗や経時的寸法変化によりシール効果が悪化し原料の粗粉が製品に混入することを招いている。
【先行技術文献】
【特許文献１】特許公開２００３−１１７４９４
【特許文献２】特許公開平６−３２０１１１
【特許文献３】特許公開平９−３８５７９
【発明の概要】
【発明が解決しようとする課題】
【０００５】本発明の目的は、従来の篩網枠でそれを受け入れる外枠との内嵌合形状が直垂直状態に嵌る為、長期間の使用で枠側面の磨耗により隙間がおおきくなる。
その為に篩分け作業中に粗粉の混入や隙間に入り込んだ滞留粉などに虫の発生や通路となり、異物混入の障害になっている。
【発明を解決するための手段】
【０００６】本発明は矩形四辺の枠体に篩網を張った篩網枠と、それを受け入れる外枠とが双方ともに同じ傾斜角度の形状を有する構造となっている。
【０００７】本発明の矩形四辺の枠体は木製であり、篩網枠の四辺の外側は傾斜角度を有する枠構造とし、それを受ける外枠の接合面も同じ角度を有する構造である。
【０００８】本発明の篩枠は矩形四辺の篩網を張った枠体を受け入れる外枠の受入部分は傾斜面を有する食品に相応しいプラスチックの一体化成型品の構造体と木製の矩形枠体とステンレスの微粉受け板を有する部材で構成された篩枠を提供する。
【発明の効果】
【０００９】本発明によれば、内嵌合の傾斜面による密着性が向上する事で、隙間をなくし粉の混入を防ぐと共に、隙間の粉の滞留による虫の発生等を防ぐ事を特徴とする篩枠構造である。
【００１０】本発明の篩枠は、多段式積層篩機に使用され、上段からの圧力により傾斜面の密着性は向上してシールパッキン等の不具合発生時でも篩網面からの粗粉などの混入は防止できる構造としている。
【図面の簡単な説明】
【００１１】
【図１】内嵌合状態を説明する為の斜視展開図
【図２】従来枠の垂直嵌合状態の一部を示す要部断面図
【図３】本発明の傾斜形状面の内嵌合状態の一部を示す要部断面図
【発明を実施するための最良の形態】
【００１２】本発明の実施形態を図１〜図３の添付図を参照に説明する。【００１３】図１  従来の代表的多段式積層篩機用篩枠で篩網枠１とそれを受け入れる外枠２とが対となる構造の篩枠で内嵌合する展開図【００１４】図２  従来の篩枠の内嵌合形状を構成する拡大図で、篩網枠が垂直に嵌め込まれている状態を示している。【００１５】図３  本発明の篩網枠１−２の内嵌合状態の一部を示す拡大図で、接合面が傾斜形状に接地されている状態を示している。【００１６】本発明の篩枠では矩形四辺で構成する篩網枠とそれを受け入れる外枠との四隅の角形状は鈍角でも丸型形状でも良いが、粉などの付着しにくい形状が望ましい。
【符号の説明】
【００１７】１・・篩網枠
２・・外枠
３・・篩網
４・・金網
５−５′・・嵌合面
６・・微粉受け板
７・・シールパッキン
【図１】
2012187564.tif 000003
【図２】
2012187564.tif 000004
【図３】
2012187564.tif 000005
(57)【要約】      （修正有）【課題】コンビニエンス等で強盗等が発生した場合犯人を拘束するための拘束ネット落下装置を提供する。【解決手段】拘束ネット１を収納した収納箱２を建屋入口に設置する。強盗等が発生した場合、電気スイッチ６を入れ、箱の扉３を開き、拘束ネットを落下させる。逃走時に、拘束ネットに犯人が掛かることにより、犯人を拘束することができる。犯人が逃走したときにも、追跡が可能となるように、光や音を発生させる追跡装置１０を取り付ける。【選択図】図３
2012237540.tif 000002
【特許請求の範囲】
【発明の詳細な説明】
【技術分野】
【００１】本発明は、拘束ネットを事前に落下させて、犯人が拘束ネットに引っかかり、犯人の動きを拘束することや、犯人が逃走したときに、追跡できる装置である。
【背景技術】
【００２】  コンビニエンス等で、強盗等が発生すると、犯人を拘束する機会が少ない。
【発明の概要】
【発明が解決しようとする課題】
【００３】  コンビニエンス等で、強盗等が発生すると、犯人を追いかけなくてはならないため、拘束することが難しい。【００４】  防犯ボールや拘束用ネットを持って、犯人を追いかけて、投げたりしても命中させることは難しいので、拘束する機会は少ない。。【００５】  犯人を追跡することも難しいので、拘束する機会は少ない。。
本発明は、以上のような欠点をなくするためのものである。
【問題を解決するための手段】
【００６】  拘束ネットを拘束箱に収納して、収納箱は、建屋の入口上に設置する。
強盗等が発生すると、拘束箱から拘束ネットを、落下させておき、犯人が拘束ネットに引っかかるのを待ち、犯人が拘束ネットに引っかかると、身動きが出来ないようにさせる。
犯人が逃走したときに、追跡が可能な追跡装置を取り付ける。
本発明は、以上のような拘束ネットを落下させる装置である。
【発明の効果】
【００７】  犯人が入口にセットされた、拘束ネットに自分から引っかかるので拘束が確実になる。
【００８】  犯人が逃走したときにも、追跡装置を取り付けられることで拘束が確実にする。
【図面の簡単な説明】
【００９】
【図１】  拘束ネット落下装置の実施方法を示した説明図です。（実施例１）
【図２】  拘束ネット落下装置の実施方法を示した説明図です。（実施例２）
【図３】  拘束ネット落下装置の実施方法を示した説明図です。（実施例３）
【図４】  拘束ネット落下装置の実施方法を示した説明図です。（実施例４）
【図５】  拘束ネット落下装置の実施方法を示した説明図です。（実施例５）
【発明を実施するための形態】
拘束ネットを事前に落下させて、犯人が拘束ネットに引っかかり、犯人の動きを拘束させること、追跡装置の電源を入れることを実現した。
【実施例１】
【０１０】  拘束ネット（１）は収納箱（２）に収容する。収納箱（２）には扉（３）があり、扉（３）は電磁ソレノイド（４）に電気が流れることにより、電磁ソレノイド芯（５）が動作して扉（３）が開き、拘束ネット（１）が落下する・【０１１】  電磁ソレノイド（４）と電気スイッチ（６）は、電磁ソレノイド電源線（１２）で接続されている。
電磁ソレノイド（４）に電気を流すのには、電気スイッチ（６）で操作する。【０１２】  拘束ネット（１）が収納箱（２）より、外れるときに、追跡装置電源遮断板（１１）が追跡装置（１０）から外れて、追跡装置（１０）の電源を入れる。【０１３】  収納箱（２）は、建屋の入口上に設置する。【０１４】  電気スイッチ（６）をレジカウンター等に設置する。
【実施例２】
【０１５】  拘束ネット（１）が収納箱（２）より、落下した様子である。
【実施例３】
【０１６】  強盗等が発生したときに、店員等が電気スイッチ（６）を押す。【０１７】  収納箱（２）の電磁ソレノイド（４）に電流が流れ、扉（３）の鍵になっている
電磁ソレノイド芯（５）が動作して、扉（３）が開き、拘束ネット（１）はおもり（７）で落下する。
【実施例４】
【０１８】  犯人が逃走するときに、入口に仕掛けてある拘束ネット（１）に引っかかる。【０１９】  無線装置で追跡が可能なようにするため、追跡装置電源遮断板（１１）が追跡装置（１０）から外れ、追跡装置（１０）の電源が入る。
【実施例５】
【０２０】  残りの拘束ネット（１）が、犯人の動きで、固定部（９）が外れて、おもり（８）で拘束ネット（１）が落下して、犯人の全身を拘束ネット（１）で包むことで拘束することが出来る。【０２１】  追跡装置（１０）の電源が入ると、光や音を発生させて、周りの人が、犯人を追跡するときに役立てることができる。
【符号の説明】
【０２２】１  拘束ネット
２  収納箱
３  扉
４  電磁ソレノイド
５  電磁ソレノイド芯
６  電気スイッチ
７  おもり
８  おもり
９  固定部
１０  追跡装置
１１  追跡装置電源遮断板
１２  電磁ソレノイド電源線
【図１】
2012237540.tif 000003
【図２】
2012237540.tif 000004
【図３】
2012237540.tif 000005
【図４】
2012237540.tif 000006
【図５】
2012237540.tif 000007
【手続補正書】
【提出日】平成24年5月15日(2012.5.15)
【手続補正２】
【補正対象書類名】特許請求の範囲
【補正対象項目名】全文
【補正方法】変更
【補正の内容】
【特許請求の範囲】
【請求項１】
１）拘束ネットを収納箱に収納し、収納箱の扉を開き、拘束ネットを落下させる。
２）追跡が可能な追跡装置を取付ける
以上からなる、拘束ネット落下装置。
(57)【要約】【課題】小型で高トルクの伝達を可能とする電磁クラッチを提供することを目的とする。【解決手段】有底多角形筒状のコア２とアーマチュア３を用いることにより、コア２とアーマチュア３の嵌合時には、コア２の多角形の側面と、それに対応するアーマチュア３の多角形の側面とが当接するために、コア２とアーマチュア３を大型化することなく高トルクの伝達が可能であり、コア２とアーマチュア３の切り離し時は、コア２とアーマチュア３の側面が傾斜立設されているため、容易な切り離しが可能である。【選択図】図１
2012237436.tif 000002
【特許請求の範囲】
【請求項１】
ボビンに巻かれた電磁コイルと、該電磁コイルが収納されたコアと、該コアと対向するように設けられたアーマチュアと、前記アーマチュアをコアから離間する方向へ付勢する付勢部材とを備え、前記電磁コイルへの通電により前記アーマチュアをコア側へ前記付勢部材の付勢力に抗して引き寄せる電磁クラッチにおいて、
前記コアとアーマチュアは、底部と側壁から成る有底多角形筒状をしており、互いに嵌合可能であることを特徴とする電磁クラッチ。
【請求項２】
前記コアとアーマチュアは、側壁が傾斜立設され、底部から上方の開口部に向けて径が広がる形状をしていることを特徴とする請求項１に記載の電磁クラッチ。
【発明の詳細な説明】
【技術分野】
【０００１】
本発明は、回転動力の伝達、遮断を切り換える電磁クラッチに関するものである。
【背景技術】
【０００２】
従来の電磁クラッチについては、例えば特許文献１に記載されたものがある。特許文献１に記載の電磁クラッチは、第１のトルク伝達部材とアーマチャの間に摩擦クラッチが設けられ、電磁石によりアーマチャが移動操作され摩擦クラッチが締結されると、第１と第２のトルク伝達部材が回転トルク伝達可能な状態となる。
【先行技術文献】
【特許文献】
【０００３】
【特許文献１】特開平６−５８３４６号公報
【発明の概要】
【発明が解決しようとする課題】
【０００４】
上述した摩擦方式の電磁クラッチにおいては、高トルクの伝達を可能とするには摩擦板の大型化や多板化等が必要となり、装置の大型化につながってしまう。
【０００５】
本発明は上述した課題を解決するためになされたものであり、小型で高トルクの伝達を可能とする電磁クラッチを提供することを目的とする。
【課題を解決するための手段】
【０００６】
上記課題を解決するために、請求項１の電磁クラッチは、ボビンに巻かれた電磁コイルと、電磁コイルが収納されたコアと、コアと対向するように設けられたアーマチュアと、アーマチュアをコアから離間する方向へ付勢する付勢部材とを備え、電磁コイルへの通電によりアーマチュアをコア側へ付勢部材の付勢力に抗して引き寄せる電磁クラッチにおいて、コアとアーマチュアは、底部と側壁から成る有底多角形筒状をしており、互いに嵌合可能としたことを技術的特徴とする。
【０００７】
請求項２の電磁クラッチは、コアとアーマチュアの側壁が傾斜立設され、コアとアーマチュアを底部から上方の開口部に向けて径が広がる形状にした技術的特徴とする。
【発明の効果】
【０００８】
請求項１，２の電磁クラッチは、有底多角形筒状のコアとアーマチュアを用いることにより、コアとアーマチュアの嵌合時には、コアの多角形状の側面と、それに対応するアーマチュアの多角形状の側面とが当接するために、コアとアーマチュアを大型化することなく高トルクの伝達が可能であり、コアとアーマチュアの切り離し時は、コアとアーマチュアの側面が傾斜立設されているため、容易な切り離しが可能である。
【図面の簡単な説明】
【０００９】
【図１】トルク伝達可能状態における電磁クラッチの断面図
【図２】トルク伝達遮断状態における電池クラッチの断面図
【図３】アーマチュアとコアの上面図
【図４】アーマチュアとコアの断面図
【発明を実施するための最良の形態】
【００１０】
本発明の一実施形態である電磁クラッチについて、図１から図４を参照して説明する。本実施形態の電磁クラッチは、図１，２に示すように回転軸１と、中心部に回転軸１を挿通固定された有底多角形筒状のコア２と、コア２と対向するように配置され回転軸１を挿通した有底多角形筒状のアーマチュア３と、回転軸１を回転可能に支持する円筒部材４と、円筒部材４を固定したハウジング５と、コア２とハウジング５の間の空間に挿入されたボビン６と、ボビン６に巻かれた電磁コイル７と、アーマチュア３をコア２から離間する方向へ付勢する付勢部材（図示なし）とを備えている。
【００１１】
コア２は、図３，４に示すように多角形状の底面２ａと、底面２ａの外縁部から傾斜立設された側壁２ｂとを有しており、底面２ａから上方の開口部に向けて径が広がる有底多角形筒状をしている。コア２は回転軸１と固定されており、回転軸１と共に回転する構成となっている。
【００１２】
アーマチュア３は、コア２と同様に、多角形状の底面３ａと、底面３ａの外縁部から傾斜立設された側壁３ｂとを有しており、底面３ａから上方の開口部に向けて径が広がる有底多角形筒状をしている。アーマチュア３は、内側にコア２を嵌合可能とするようにコア２より径が大きいものとなっている。また、アーマチュア３は中心部に回転軸１が挿通されている。
【００１３】
円筒部材４は、内側に回転軸１を回転可能に挿通しており、外側には電磁コイル７の巻かれたボビン６が嵌合されると共にハウジング５と固定されている。
【００１４】
次に本電磁クラッチの動作について説明する。本電磁クラッチは、電磁コイル７への通電により入力側に連結されたアーマチュア３と、出力側に連結された回転軸１との間の回転トルクの伝達及び切り離しを行う。電磁コイル７に通電していないときは、アーマチュア３が付勢部材によりコア２と離間しているため、アーマチュア３の回転がコア２に伝達されず、出力側に連結された回転軸１へも伝達されない。電磁コイルに通電して磁束を発生させたときには、アーマチュア３が付勢部材の付勢力に抗してコア２に引き寄せられ、コア２とアーマチュア３が嵌合し、アーマチュア３の回転がコア２を通して回転軸１を伝達されることとなる。
【００１５】
このコア２とアーマチュア３の嵌合時には、図３に示すように多角形状のコア２の外側面と、それに対応する多角形状のアーマチュア３の内側面とが当接しているため、コア２とアーマチュア３を大型化することなく高トルクの伝達が可能である。また、コア２とアーマチュア３の切り離し時には、図４に示すように、コア２とアーマチュア３の側面が傾斜立設され、底面から上方に向けて広がる形状であるため、容易な切り離しが可能である。
【００１６】
このように、本電磁クラッチは、有底多角形筒状のコア２とアーマチュア３を用いたことにより、小型で高トルクの伝達を可能である。
【符号の説明】
【００１７】
１  回転軸
２  コア
３  アーマチュア
４  円筒部材
５  ハウジング
６  ボビン
７  電磁コイル
【図１】
2012237436.tif 000003
【図２】
2012237436.tif 000004
【図３】
2012237436.tif 000005
【図４】
2012237436.tif 000006
(57)【要約】      （修正有）【課題】深海において大量の海水の排水を行なう設備を提供する【解決手段】海底に大容量の底なし箱形容器を設置し、容器の上部に上端部が大気開放され、底部に大規模な大量空気発生装置Ｙ、Ｚを備えた水深５００ｍの深海塔を設け空気発生装置Ｙ、Ｚから箱形容器内へ空気の供給を行う。供給された空気は箱形容器内の天井部に溜まって海底空間Ｅを形成し、この空間分に相当する深海水を箱形容器から排出することが出来る。深海塔の底部は大気圧状態のため、深海レベルにもかかわらず作業員は通常の装備で作業を行うことができる。【選択図】図１
2012237304.tif 000002
【特許請求の範囲】
【請求項１】
図１の海底空間Ｅの通りある一定量の空気容量を常に確保出来れば当然空気と海水は混合しない為に次々に排出流入される大量の排海水を即座に外海えと放出が出来る事である。
【請求項２】
今迄殆んどの人が徹底不可能と思って考える事もしなかった深海数百ｍ下に普通の作業着で人間が立てるという事とその事がこんなに簡単に実現出来るという事に対しての深海設備自体に対しての特許申請です。
【発明の詳細な説明】
【技術分野】
【０００１】  深海５００ｍに設置をし、海上より直接保守、修理等を行ない乍ら、全く不可能であった海水の大量排出を行ない、海中発電の大容量発電に大きく寄与するものである。【０００２】  深海容器の底部分を全く造らず、空気を大量に供給を行ない、自然に大量の海水を深海中に放出するものである。【０００３】図１・図２にて説明をする。【０００４】  別図の通り水深５００ｍの「深海塔」を設け大規模な空気容器を重ね圧縮する事により強力な大量の空気を海底に放出さすものである。
【発明の概要】
【発明が解決しようとする課題】  より大量の海排水を行なうようにする事である。
【課題を解決するための手段】  大量の排海水を海中に戻す事が出来ればとの思考の中で海中に大量の空気を放出する事が出来ればとの思考の中で海中に大量の空気を放出する事が出来れば大量の排海水を直接海中に放出出来る事が偶然発見出来たものである。
【発明の効果】  従来の思考では大容器の中の海排水のみしか排水が出来ず、大規模発電には厳しい処があったが今回の発明に依り一日数万〜数百万ｔ等の排海水も可能となり、大規模発電いや原子力発電等よりも強力でより簡単に設置が出来、償却がすめば殆んどコストのかからない夢の発電となるものである。
【図面の簡単な説明】
【図１】大量の空気排出設備Ｙ．Ｚを利用して大量に流入する海排水を外海え放出を行なうものであり、数万〜数百万トンの排出も充分に行なえるものとなる。
【図２】大深度深海排圧深海船と各海中発電設備の空気容器安定船等よりの流入図と排圧深海船の全体図である。
【発明を実施するための形態】
［図１］
一番最初に海底空間Ｅ部分の設置を行ない次に海面下５００ｍの鋼鉄を使用した海水圧排出深海船を海中に設置を行ない図１の通り大量空気発生装置（Ｙ）（Ｚ）の設置を行ない最後にエレベーター等の設置も行ない諸々の諸設備も完成さすものとする。
又大規模設置の為に相当量の″山石″  ″鉄塊″等を使用して充分な安定を確保するものとする。
又各発電設備の空気容器安定船等よりの海排水の数台〜数十台の配排水管等の設置も当然各空気容器安定船設置時に充分近い将来に本設備に排海水を行なう事として設備を行なう事とするものである。
［図２］
大深度深海水排出深海船が本図の様に簡単な設備となれば諸々の海中発電設備より大量の排出海水が難なく外海に排出されるという一番難しいと思われて誰も思考する事が無かった未知の世界が本施設の発見に依り今後はより簡単に人間の手に入る事となり今後は急速な勢いで海中発電海中農場、海中都市等々が出現する速度が急速に早まり海に囲まれて大海原の中の日本は大資源を手に入れるものである。
【図１】
2012237304.tif 000003
【図２】
2012237304.tif 000004
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
すでに申請済の各海中発電の海中設置により予想される数台〜数十台分の各発電船よりの排出される厖大な排水を本申請の“大深度深海水排圧深海船」の発見により毎時数千ｔでも数１０万ｔでも簡単に深海に於ける外海えと発電済後の海排水が処理が出来る事となる。
まず上記深海船を深海部分に本図の通り設置を行なえば、各海中発電船よりの排水が本深海船の海底空間Ｅ部分に次々と排出されるものであるが、図１〜２の通り大きな空間の底部分は直接外海と継がっている形の鋼鉄にて造られた大容器を設置をし、その容器の内側の海底空間Ｅ部分に海上部分より常時図１図２の通り「圧縮空気噴出装置」を設置をし、当然常時一定以上の海底空間Ｅ部分の確保を行なう事により各発電船より排出される厖大な排水が、本設備の海底空間部分に放出がされ、瞬時に次々と外海えと排出されるものである。
海中発電に於て最大の懸案事項である厖大な排海水の各発電船外えの排水が安定的に行なわれる“大発見”“大深度深海水排圧深海船”となる。
各発電船から本設備の海底空間えの排水の放出方法は各発電船に設置された「空気容器船」より数ｍの直径の鋼鉄のパイプ筒等により、継がれており、空気容器船内にある一定の排水が貯まれば一気に逆走弁を活用させながら大量の排水の落下重量と落下速度による強烈な落下圧力等により本海底空間部分に瞬時に放出排水を行なうものであり、又常に海底空間の空気部分は強力な「圧縮空気噴出装置」よりの空気供給を受けているもので、当然空気と海底の海水が混合する事等は全くあり得ない事であり、当然常に海底空間はいつでも大量の排水にしっかりと応じるものである。
【請求項２】
今迄殆んど全世界中の人が徹底不可能と思われている海中発電がなぜ可能となるのかの重要な部分に深海での“水圧”に対する恐怖であり、もしその“水圧の恐怖”が無くなれば、全く陸地での設備と同じであり、海底５００ｍの設備内でも何の恐怖も無くなり作業服等のままで活動出来るものである。
図１の通り水深５００ｍ地点での鋼鉄壁の厚さと書いているが、その壁の厚さを５倍〜１０倍とする事は何の技術的に難しい事等は全く無く、外壁の厚さを厚くする事により“水圧に対する空想の恐怖”がこんな簡単な設備で解消される事となり、現時点では世界中で発見されていなかっただけであり、都市で数多く建造されている高層ビルの数十分の一の鉄の使用量と建造技術も数十分の一も必要としないものであり、理解されれば今世紀最大の大発見となる。
(57)【要約】【課題】航空管制用レーダシステムの保守作業の効率化及び迅速化を図ること。【解決手段】本実施形態に係るレーダ保守用表示装置は、複数のレーダ装置により得られたレーダ情報を画面上に表示する表示処理部３１と、前記レーダ情報を収集するデータ収集部３２と、前記データ収集部３２により収集されたレーダ情報をリアルタイムで解析するデータ解析部３３とを具備し、前記表示処理部３１は、前記データ解析部３３の解析結果を前記レーダ情報と共に前記画面上に表示する。【選択図】      図１
2012237713.tif 000002
【特許請求の範囲】
【請求項１】
複数のレーダ装置により得られたレーダ情報を画面上に表示する表示手段と、
前記レーダ情報を収集する収集手段と、
前記収集手段により収集されたレーダ情報をリアルタイムで解析する解析手段と
を具備し、
前記表示手段は、前記解析手段の解析結果を前記レーダ情報と共に前記画面上に表示することを特徴とするレーダ保守用表示装置。
【発明の詳細な説明】
【技術分野】
【０００１】
本発明の実施形態は、例えば航空管制用レーダシステムに用いられるレーダ保守用表示装置に関する。
【背景技術】
【０００２】
航空管制用レーダシステムには、一般的に、空港監視レーダ（ＡＳＲ：Airport Surveilance Radar）と、二次監視レーダ（ＳＳＲ：Secondary Surveilance Radar）とが配備されている。従来システムの保守用表示装置では、各レーダ装置から入力されるビデオ及びターゲットレポート情報にしたがって、適切な位置にターゲットや受信信号のビデオ情報を表示し、保守作業の支援を実現してきた。加えて、保守用表示装置はデータ収集機能を有しており、後段のオフライン解析に用いるためのデータを収集する。このオフライン解析では、ＡＳＲ／ＳＳＲの相関率やターゲット検出状況を解析し詳細を把握することができる。
【先行技術文献】
【非特許文献】
【０００３】
【非特許文献１】社団法人電子情報通信学会，「改訂  レーダ技術」，初版，平成８年１０月１日，ｐ．２３２，２３３
【発明の概要】
【発明が解決しようとする課題】
【０００４】
従来の保守用表示装置で実現している表示機能とデータ解析機能は分離されており、相互にデータのやり取りが行われていない。それ故、データ収集後のデータはリアルタイム処理されることなく、オフライン解析を別途行うことでその詳細を把握することとなり、保守作業に時間を要していた。
【０００５】
本実施形態の目的は、保守作業の効率化及び迅速化を図ることができるレーダ保守用表示装置を提供することにある。
【課題を解決するための手段】
【０００６】
本実施形態に係るレーダ保守用表示装置は、複数のレーダ装置により得られたレーダ情報を画面上に表示する表示手段と、前記レーダ情報を収集する収集手段と、前記収集手段により収集されたレーダ情報をリアルタイムで解析する解析手段とを具備し、前記表示手段は、前記解析手段の解析結果を前記レーダ情報と共に前記画面上に表示する。
【図面の簡単な説明】
【０００７】
【図１】本実施形態に係る保守用表示装置の構成を示す図。
【図２】表示処理部による画面表示例を示す図。
【発明を実施するための形態】
【０００８】
以下、図面を参照しながら本実施形態に係るレーダ保守用表示装置を説明する。
【０００９】
図１は、本実施形態に係る保守用表示装置の構成を示す図である。保守用表示装置３には、例えば、ＡＳＲ（Airport Surveilance Radar）装置１及び二次監視レーダ（ＳＳＲ：Secondary Surveilance Radar）装置２が接続される。保守用表示装置３は、表示処理部３１と、データ収集部３２と、データ解析部３３とを備える。
【００１０】
保守用表示装置３は、ＡＳＲ装置１により得られた空港周辺の航空機を示すＡＳＲ目標を示すターゲットレポート情報（ＡＳＲ）と、ビデオ信号（ＡＳＲ）とを受信する。ＳＳＲ装置２は、ＡＳＲ装置１から送られてくるターゲットレポート情報に基づいてターゲットを捜索する。保守用表示装置３は、ＡＳＲ目標と、ＳＳＲ装置２により得られたＳＳＲ目標とを示すターゲットレポート情報（ＡＳＲ，ＳＳＲ）と、ＳＳＲ装置２のビデオ信号（ＳＳＲ）とを受信する。
【００１１】
保守用表示装置３において、表示処理部３１は、ＡＳＲ装置１及びＳＳＲ装置２から入力されるターゲットレポート情報及びビデオ信号にしたがって、適切な位置にターゲットやレーダビデオを画面上にリアルタイムで表示する。データ収集部３２は、ＡＳＲ装置１及びＳＳＲ装置２から入力されるターゲットレポート情報及びビデオ信号を収集する。データ解析部３３は、データ収集部３２により収集されたデータをもとにＡＳＲ／ＳＳＲの相関率やターゲット検出状況をリアルタイムに解析し、解析結果を表示処理部３１に送る。表示処理部３１は、データ解析部３３の解析結果を、上記ターゲットやレーダビデオと共に画面上に表示する。
【００１２】
図２は、表示処理部３１による画面表示例を示す図である。図２中２０１には、ターゲットやレーダビデオが表示される。さらに、レーダビデオデータ解析部３３の解析結果として、例えば、ターゲット相関率２０２、ターゲット補足履歴２０３、ターゲットレポートに含まれる各種フラグ情報等がリアルタイムで表示される。
【００１３】
以上述べたように、本実施形態は、レーダビデオやターゲットレポートの表示機能に加え、さらにリアルタイムデータ解析機能（ターゲット相関率、ターゲット補足履歴機能、ターゲットレポートに含まれる各種フラグ情報等）を追加するようにしたものである。これらの機能追加により、保守作業の大幅な短縮が期待できる。
【００１４】
なお、いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００１５】
１…ＡＳＲ装置、２…ＳＳＲ装置、３…保守用表示装置、３１…表示処理部、３２…データ収集部、３３…データ解析部。
【図１】
2012237713.tif 000003
【図２】
2012237713.tif 000004
(57)【要約】【課題】我国を取巻く無限の海洋エネルギ−を活用し、無公害の発電電力を提供する。【解決手段】筏状の海上浮体にリニア−発電機器を複数積載し、此を複数体連結して、海上に浮かべ、波や、うねり等による海水面上下運動等の海洋自然現象エネルギ−によりリニア−発電機器の発電素子が往復運動する事による、発電現象を活用発電する。【選択図】図１
2012237278.tif 000002
【特許請求の範囲】
【請求項１】
筏状の海上浮体にリニア−発電機器を複数積載し、此を複数体連結した物を海上に浮かべ両端、又は片辺をローブで海底、に係留し、波やうねり等による海面の上下運動現象により海上浮体にシ−ソ運働を誘発し、此に積載されたリニアー発電機器の発電素子が往復スライドする事による発電作用を活用し、此を多数集積し電力とする発電方法。
【請求項２】
ドラム缶状の浮体内にリニアー発電機器を複数積載し、此を複数体連結した物を海上に浮かべ両端、又は片端をローブで海底に係留し、波や、うねり等による海面の上下運動現象により、ドラム缶にシーソ運動が誘発され、ドラム缶内に積載のリニアー発電機器の発電素子が、往復スライドする事による、発電作用を活用する発電方法。
【請求項３】
上記１、２の発電装置上部に太陽光発電シ−トを積載し、全体としての発電効率を高める様にした、合成発電装置。
【発明の詳細な説明】
【技術分野】
【０００１】
本発明は、海上浮体にスライド式リニアー発電機器を積載し、海水面の上下運動等を発電力に利用する方法。
【背景技術】
【０００２】
従来の発電は水力、火力、原子力、風力、地熱等各種有るが、いずれも回転運動による発電方式で僅かに近年、太陽光発電が登場しだが、夜間発電は不可能である。
【０００３】
水力発電は大型ダムを構築する場合多大な土木エ事必要であり、水没地区の補償等も生
じ完成までの期間が長期に及ぶ。
【０００４】
火力発電は化石燃料を燃焼するため二酸化炭素の排出を免れない。石炭、油田、天然ガスのどれも無限ではなく、いずれ枯渇する事は明確で有る。
【０００５】
バイオマス発電は火力発電の―種であるが、バイオ燃料も森林破壊や食料、飼料等との
競合になり、世界的に考慮すれば人類や家畜、その他の動物、植物に多大の負担を与える
【０００６】
原子力発電は燃料ウランはプルトニュウムに変換され再利用可能との事であるそうだが地震、津波専の想定外の天災により大事故が発生すれば、制御不能となり放射能が広範囲に長期間にわたり諸々の大被害を及ほす。
【０００７】
風力発電は風力が一定せず安定発電か不可能であり、又、大型風車の近隣では低周波害
障害等が発生する場合かある。また大型になると落雷が多くなると伝え聞く。
【０００８】
海上風力発電は海中建柱方式と、台船または浮揚台型に分別されるが、我国ではいずれ
も漁業権、航路権等により最適風況地点での設置は困難であり、余り発展展開が困難です
【０００９】
地熱発電は最適地の殆どが国定公園や温泉地専に抵触し容易に適地を獲得する事が困難であっ、我国では東北と九州に開設されている様で有るが、殆ど商業ベースに適合困難と
灰聞する程度である。
【００１０】
太陽光発電は近年急速に拡張されつつあり、二酸化炭素の発生も無く、無公害との事で
有るが、広大な面積を必要とし、夜間は発電不能で有る。
【００１１】
海水面の上下作用を活用した浮休式波力発電装量としては、空気の圧縮を行い、これに
よリタービンーを回転させる方式や垂直フロ−ト式のリニア−等、諸々の形式や方法が
全世界で研究中で、完全に実用稼働した物は皆無である。
【００１２】
潮流発電や波浪発電等も話題になるも、未だ実用化されて商用営業された施設は公開さ
れていなく、研究段階の繰り返しの様である。
【発明の開示】
【発明が解決しようとする課題】
【００１３】
日本国内の各種発電設備は上記の各項目に記載した"日く、いずれも諸々の問題点が有り完全なものでは無い。
【００１４】
各種火力発電は二酸化素を発生を皆無にするは不可能であり、燃料は有限である。
【００１５】
原子力発電は立地条件か大量の冷却水を必要とする為、海岸に設置せざるを得ない、又
現存の原子力発電所は殆どが、地震断層帯の上、若しくはその近隣地上に立地して居る。
その為、地震、津波等の大規模な天然災害か発生する恐れは今後も皆無とは言えぬ。
【００１６】
太陽光発電以外の発電は全て、水力、火力、原子力、風力等により発生するエネルギーにより、回転式発電機を回転させて電力を得る方式である。
【課題を解決するための手段】
【００１７】
上述の条件を検討すれば我国の発電資源は我国周辺を取巻く海洋か有する無限のエネルギーを活用する事こそ唯―の方法である。
【００１８】
従来の各種回転式発電装置とは異なり、筏状の海上浮体にスライド式リニアー発電機器を複数積載し、波やうねり等、海面の上下運動現象により発電させるもので、これを複数体連結し両端、又は一端をロープで海底に係留し、発電装置とするもので２４時間３６５日、年問無休であり、エネルギ−原価は只のゼロ円でしかも無限のエネルギーです。
【００１９】
ドラム缶状の海上浮体を連結しこれにスライド式リニアー発電機器を積載し両端、又は片端をローブで海底に係留し、海面の上下運動現象を発電エネルギ−に変換し、電力として活用する。
【００２０】
場合によっては海上浮体の単体の片辺をロープで係留し海面の上下を活用発電も可能。
【産業上の利用可能性】
【００２１】
上述した様に本発明の海上浮体の上下運動をスライド式リニアー発電機器と組合わせた発電方式は無限の可能性を有する画期的な新しい未来志向の発電方式であり、世界のネルギー問題は素より、二酸化炭素による公害問題、あるいはバイオマス発電に関する自然破壊の防止、食料間組解決と、多方面にわたりー挙解決の糸口と成るものと思考いたします。
【図面の簡単な説明】
【００２２】
【図１】発電系統図
【図２】発明の実施形態を示す筏状海上浮体の平面図
【図３】筏状海上浮体にスライド式リニアー発電機器か積載された側面図
【図４】筏状海上浮体リニアー発電装置平面図
【図５】ドラム缶状海上浮体図
【符号の説明】
【００２３】
１．リニア−発電機                       １４．衝突危険防止標識灯
２．トランス                             １５．衝突危険防止標識旗
３．整流器                               １６．監視、制御用無線柱
４．バッテリ−                           １７．監視カメラ
５．送電制御器
６．インバ−タ
７．交直流変換システム（２−−６）
８．筏状海上浮体
９．ドラム缶状海上体
１０．浮体連結用具
１１．海底係留用ロ−プ
１２．錨
１３．太陽光発電フイルムシ−ト
【図１】
2012237278.tif 000003
【図２】
2012237278.tif 000004
【図３】
2012237278.tif 000005
【図４】
2012237278.tif 000006
【図５】
2012237278.tif 000007
【手続補正書】
【提出日】平成24年2月8日(2012.2.8)
【手続補正１】
【補正対象書類名】図面
【補正対象項目名】図１
【補正方法】変更
【補正の内容】
【図１】
2012237278.tif 000008